(57)【要約】      （修正有）【課題】操作の際に非常に安定しており、しかも指圧用の突起物はその高さが調節できるようになっているために揉みほぐしを効果的に行うことができ、したがって腰や背中、肩等の身体の各部位に対して好適なマッサージを行える簡易指圧具を提供する。【解決手段】底部材１１と、該底部材１１の両側から立ち上げるとともに、その長さ方向の一方の側に円弧状切欠部１２ａを形成した左右一対の側部材１２と、該一対の側部材１２の上部に差し渡した人体の支持部材１３とで、ほぼ人体に等しい幅を備え、設置面から所定の高さを有するように構成した支持台１０と、該支持台１０上部の支持部材１３に着脱可能に取り付けた指圧棒１４と、前記左右一対の側部材１２の円弧状切欠部１２ａを設けた側から外向きに突設した棒状ハンドル１５とを設けたことを特徴とする。【選択図】図１
0003178225.tif 000002
【実用新案登録請求の範囲】
【請求項１】
底部材と、該底部材の両側から立ち上げるとともに、その長さ方向の一方の側に円弧状切欠部を形成した左右一対の側部材と、該一対の側部材の上部に差し渡した人体の支持部材とで、ほぼ人体に等しい幅を備え、設置面から所定の高さを有するように構成した支持台と、該支持台上部の支持部材に着脱可能に取り付けた指圧棒と、前記左右一対の側部材の円弧状切欠部を設けた側から外向きに突設した棒状ハンドルとを設けたことを特徴とする簡易指圧具。
【請求項２】
前記指圧棒は、基板上に所定の間隔で左右一対に配置されており、また前記支持部材にも前記指圧棒に対応する位置に左右一対の位置決め孔が形成してあって、該基板を前記支持部材に取り付けることによって前記指圧棒を前記位置決め孔から支持部材の上面に突出させるようにしたことを特徴とする請求項１記載の簡易指圧具。
【請求項３】
前記指圧棒は、前記支持部材とこれに取り付ける基板との間にスペーサを介在させることによって、前記支持部材からの高さを変えられるようにしたことを特徴とする請求項１または２記載の簡易指圧具。
【請求項４】
前記左右一対の位置決め孔は、その一部を長さ方向に沿って溝状をなす左右一対の位置決めガイドとしてあり、前記指圧棒の取付位置を該位置決めガイドの長さ方向に沿って変えられるようにしたことを特徴とする請求項１ないし３記載の簡易指圧具。
【請求項５】
前記支持部材は、支持台の長さ方向の前後に分断されており、かつそのそれぞれに指圧棒が取り付けてあることを特徴とする請求項１ないし４のいずれかに記載の簡易指圧具。
【請求項６】
前記支持台は、長さ方向の前後に分断されて底部材において連結されており、かつその間隔を底部材の取り付け位置を変えることによって可変としたことを特徴とする請求項１ないし５のいずれかに記載の簡易指圧具。
【考案の詳細な説明】
【技術分野】
【０００１】
この考案は、長時間同じ姿勢を保つ必要のある職業や、同じ姿勢で長時間作業を続けている人が、腰や背中、肩などに疲労が蓄積した状態を解消させるとともに、疲労の蓄積した人が自分で所定の箇所をマッサージすることができるようにした体重を利用した簡易指圧具に関するものである。
【背景技術】
【０００２】
従来の身体を載せることにより体重を利用して身体を揉みほぐす健康具としては、台座にツボ突起を複数設け、腰部と床の間に挟んで指圧する指圧タイプと、連結された台座にマッサージ用のコロの突起を複数取り付け、背中部と床に挟んで背中を反らすとともに、刺激を与えるマッサージタイプが一般的である。これらの従来技術は、身体と床の間に健康具を挟み、その圧力や形状による動きのない固定式の健康器具であり、揉みほぐしが十分できず、好適なマッサージを行える健康器具は存在しなかった。
【０００３】
ちなみに、特開２００２−８５５１６号公報（特許文献１参照）には、身体を載せる身体載台がどの方向にも自由に傾けられる様に、前記身体載台が床と接する下面中央部に球面状的な凸部を設け、また身体載台の表面にツボ刺激や指圧を目的とする突起物を複数設けたことを特徴する健康具が、また特開平１０−２８７１１号公報（特許文献２参照）には、弾力性を有する半球状の本体部と、この本体部を滑動させる球体状の転動子とで形成され、上記本体部の直径がバレーボール大で、上記の転動子が本体部の底面の中心位置に、球面の一部が露出されるように保持された状態で配設されたことを特徴とする転動式のマッサージ用具はそれぞれ提案されている。
【先行技術文献】
【特許文献】
【０００４】
【特許文献１】特開２００６−５２５８８号公報
【特許文献２】特開平１０−２８７１１号公報
【考案の概要】
【考案が解決しようとする課題】
【０００５】
しかしながら、前記特開２００２−８５５１６号公報（特許文献１参照）の健康具においては、身体載台はその中央に球面状的な凸部を設けてあるので、使用に際しては非常に不安定な状態で使いずらく、また身体載台の表面に設けた指圧用の突起物はその高さが調節できないので、揉みほぐしが十分できず、好適なマッサージを行える健康器具とはなり得ない。
【０００６】
また、特開平１０−２８７１１号公報（特許文献２参照）の転動式のマッサージ用具は、弾力性を有する半球状の本体部と、この本体部を滑動させる球体状の転動子とで形成され、上記本体部の直径がバレーボール大からなるものであり、いわゆるツボを指圧するようにはできていなかった。
この考案は、操作の際に非常に安定しており、しかも指圧用の突起物はその高さが調節できるようになっているために揉みほぐしを効果的に行うことができ、したがって腰や背中、肩等の身体の各部位に対して好適なマッサージを行える簡易指圧具を提供することを目的とするものである。
【課題を解決するための手段】
【０００７】
すなわちこの考案の簡易指圧具は、底部材と、該底部材の両側から立ち上げるとともに、その長さ方向の一方の側に円弧状切欠部を形成した左右一対の側部材と、該一対の側部材の上部に差し渡した人体の支持部材とで、ほぼ人体に等しい幅を備え、設置面から所定の高さを有するように構成した支持台と、該支持台上部の支持部材に着脱可能に取り付けた指圧棒と、前記左右一対の側部材の円弧状切欠部を設けた側から外向きに突設した棒状ハンドルとを設けたことを特徴とするものである。
【０００８】
この考案の簡易指圧具において、前記指圧棒は、基板上に所定の間隔で左右一対に配置されており、また前記支持部材にも前記指圧棒に対応する位置に左右一対の位置決め孔が形成してあって、該基板を前記支持部材に取り付けることによって前記指圧棒を前記位置決め孔から支持部材の上面に突出させるようにしたことをも特徴とするものである。
【０００９】
この考案の簡易指圧具において、前記指圧棒は、前記支持部材とこれに取り付ける基板との間にスペーサを介在させることによって、前記支持部材からの高さを変えられるようにしたことをも特徴とするものである。
【００１０】
この考案の簡易指圧具において、前記左右一対の位置決め孔は、その一部を長さ方向に沿って溝状をなす左右一対の位置決めガイドとしてあり、前記指圧棒の取付位置を該位置決めガイドの長さ方向に沿って変えられるようにしたことをも特徴とするものである。
【００１１】
この考案の簡易指圧具において、前記支持部材は、支持台の長さ方向の前後に分断されており、かつそのそれぞれに指圧棒が取り付けてあることをも特徴とするものである。
【００１２】
この考案の簡易指圧具において、前記支持台は、長さ方向の前後に分断されて底部材において連結されており、かつその間隔を底部材の取り付け位置を変えることによって可変としたことをも特徴とするものである。
【考案の効果】
【００１３】
第１考案の簡易指圧具によれば、一対の側部材の上部に差し渡した人体の支持部材上に指圧棒を介して使用者が背中を載せ、かつ使用者が前記左右一対の側部材の外向きに突設した棒状ハンドルを手で持って前後方向に揺らすことにより、左右一対の側部材に形成した円弧状切欠部において自在にその角度を変えることができる。
したがって、使用者は自分の体重を利用し、任意のツボに指圧棒の先端を押し当てて揉みほぐすことができる。
【００１４】
第２考案の簡易指圧具によれば、前記指圧棒を前記位置決め孔から支持部材の上面に突出させるようになっており、前記指圧棒は位置決め孔にその周囲をホールドされているので、前記指圧棒に体重による負荷がかかっても簡単にぐらつくようなことがない。
【００１５】
第３考案の簡易指圧具によれば、前記指圧棒は、前記支持部材とこれに取り付ける基板との間にスペーサを介在させることによって、前記支持部材からの高さを変えられるようになっており、前記指圧棒の高さの調節が簡単に行え、また部位に応じて自在に高さ調節ができるのでツボを効果的に揉みほぐすことができる。
【００１６】
第４考案の簡易指圧具によれば、前記左右一対の位置決め孔は、その一部を長さ方向に沿って溝状をなす左右一対の位置決めガイドとしてあり、前記指圧棒の取付位置を該位置決めガイドの長さ方向に沿って変えられるようになっており、ツボの位置に応じて前記指圧棒を配置することができるのでツボを効果的に揉みほぐすことができる。
【００１７】
第５考案の簡易指圧具によれば、前記支持部材は、前記支持台の長さ方向の前後に分断されており、かつそれぞれに指圧棒が取り付けてあるので、器具全体の軽量化を図ることができる。
【００１８】
第６考案の簡易指圧具によれば、前記支持台は、長さ方向の前後に分断されて底部材において連結し、かつその間隔を底部材の取り付け位置を変えることによって可変としてあり、ツボの位置に応じて前記指圧棒を配置することができるのでツボを効果的に揉みほぐすことができる。
【００１９】
以上説明したように、この考案の簡易指圧具によれば、体重を利用して腰、背中、肩や首など載せた身体の部分を前後方向に円弧を描いて回すことができるため、前後の動きが身体に作用して身体を伸ばす動きとともに、適度な運動負荷も加えられる。したがって、首から腰までの「揉みほぐし」が可能であり、ツボ刺激と指圧の効果も得られるのである。
【００２０】
揉みほぐし効果としては、次のような点が挙げられる。
首部の揉みほぐし−頭痛、肩凝り、耳なり、不眠症の解消。
背中部の揉みほぐし−背骨の曲がりを矯正、肩凝りや胸部痛の解消、内臓機能の向上。
腰部の揉みほぐし−腰痛、膝痛、坐骨神経痛、椎間板ヘルニアの改善と予防。
骨盤部の揉みほぐし−骨盤のずれや歪の矯正、股関節痛の改善と予防。
【００２１】
このように、この考案の簡易指圧具は電気等の外部動力を使用せず、自分の体重を利用するものであるため、体力、年齢に合わせて自分自身でコントロールしながら安全に使用することができる。
【図面の簡単な説明】
【００２２】
【図１】この考案の簡易指圧具の１実施例を示す斜視図である。
【図２】その平面図である。
【図３】その側面図である。
【図４】その端面図である。
【図５】図２のＡ−Ａ’断面図である。
【図６】図２のＢ−Ｂ’断面図である。
【図７】図３のＣ−Ｃ’断面図である。
【図８】前記支持台を長さ方向の前後に分断した状態の斜視図である。
【図９】前記指圧棒とスペーサとの組合せを説明するためのものであり、（ａ）は左右および前後に一対の指圧棒を配置した状態の斜視図、（ｂ）は左右に一対の指圧棒を配置した状態の斜視図、（ｃ）は指圧棒を配置した基板と蝶ねじの組合せを示す斜視図である。
【図１０】前記指圧棒と支持部材との間にスペーサを組合せた状態の１例を示す断面図である。
【考案を実施するための形態】
【００２３】
以下この考案の簡易指圧具の実施の形態を図面に基いて詳細に説明する。
図１ないし図４に示すように、この考案の簡易指圧具は、底部材１１と、該底部材１１の両側から立ち上げるとともに、その長さ方向の一方の側に円弧状切欠部１２ａを形成した左右一対の側部材１２と、該一対の側部材１２の上部に差し渡した人体の支持部材１３とで、ほぼ人体に等しい幅を備え、設置面から所定の高さを有するように構成した支持台１０と、該支持台１０上部の支持部材１３に着脱可能に取り付けた指圧棒１４と、前記左右一対の側部材１２の円弧状切欠部１２ａを設けた側から外向きに突設した棒状ハンドル１５とを設けたものである。
【００２４】
この考案の簡易指圧具において、前記指圧棒１４は、図９に示すように基板２１上に所定の間隔で左右一対に配置してある。図９（ａ）は基板２１上の左右および前後に一対の指圧棒１４を配置した状態を、図９（ｂ）は基板２１上の左右に一対の指圧棒１４を配置した状態を示し、また図９（ｃ）は指圧棒１４を配置した基板２１と蝶ねじ２２の組合せを示すものである。２４は基板２１と支持部材１３との間に介在させるスペーサである。
他方、前記支持部材１３にも前記指圧棒１４に対応する位置に左右一対の位置決め孔２３が形成してあり、その間には取付溝２３ａが形成してある。したがって、前記基板２１を前記支持部材１３に前記取付溝２３ａに挿通した蝶ねじ２２を介して取り付けることにより、前記指圧棒１４を前記位置決め孔２３から支持部材１３の上面に突出させるようにしてある。
【００２５】
またこの考案の簡易指圧具においては、図５ないし図７の断面図において２４はスペーサであり、前記支持部材１３とこれに取り付ける基板２１との間にこのスペーサ２４を介在させることによって、前記指圧棒１４の前記支持部材１３からの高さを変えられるようにしてある。
ちなみに、図１０に示す組合せの例においては、中央の前後および左右にそれぞれ一対の指圧棒１４を配置した基板２１上には２枚のスペーサ２４を、後部の左右に一対の指圧棒１４を配置した基板２１上には１枚のスペーサ２４を配置している。
【００２６】
図１、図２や図５、図６に示すように、前記支持部材１３に形成した左右一対の位置決め孔２３は、その一部を長さ方向に沿って溝状をなす左右一対の位置決めガイド２３−１としてあり、前記指圧棒１４の取付位置を該位置決めガイド２３−１の長さ方向に沿って変えられるようになっている。
【００２７】
また図１、図２や図５、図６に示すように、左右一対の側部材１２上における前記支持部材１３は、支持台１０の長さ方向の前後に分断されており、かつそれぞれには指圧棒１４が取り付けてある。
【００２８】
また、図８に示すように前記支持台１０は左右一対の側部材１２の部分を含め、その長さ方向の前後に分断されている。そして、前後の左右一対の側部材１２の下部を連結している底部材１１は、その一方の側が相手方に向けて延長されている。図８においては後方部分の底部材１１ａが延長されており、該底部材１１ａのほぼ中央にはその長さ方向に沿って長さ調整溝１１ｂが形成してある。したがって、他方の側の底部材１１に取り付けた蝶ねじ２２を長さ調整溝１１ｂに取り付けて各底部材１１，１１ａの取り付け位置を変えることによってその間隔を変えることができる。
【産業上の利用可能性】
【００２９】
前記実施例においては、この考案の簡易指圧具を前後にスイングする機構として説明したが、この発明の要旨を変更しない範囲で、底部材の形状を変更すること等によって前後のみならず左右にスイングする簡易指圧具にも適用することが可能である。
【符号の説明】
【００３０】
１０  支持台
１１  底部材
１１ａ  底部材
１１ｂ  長さ調整溝
１２  側部材
１２ａ  円弧状切欠部
１３  支持部材
１４  指圧棒
１５  棒状ハンドル
２１  基板
２２  蝶ねじ
２３  位置決め孔
２３−１  位置決めガイド
２３ａ  取付溝
２４  スペーサ
【図１】
0003178225.tif 000003
【図２】
0003178225.tif 000004
【図３】
0003178225.tif 000005
【図４】
0003178225.tif 000006
【図５】
0003178225.tif 000007
【図６】
0003178225.tif 000008
【図７】
0003178225.tif 000009
【図８】
0003178225.tif 000010
【図９】
0003178225.tif 000011
【図１０】
0003178225.tif 000012